(57)【特許請求の範囲】
【請求項１】
本体底部に電気回路基板を備えた自動販売機において、
前記電気回路基板と電源間に介設された漏電遮断器を備え、この漏電遮断器の一方の入力と他方の出力からリード線を引き出し、引き出した各リード線の先端を前記電気回路基板より低い位置に配置したことを特徴とする自動販売機の保護装置。
【発明の詳細な説明】
【０００１】
【発明の属する技術分野】
本発明は、本体下部に電気回路基板を備えた自動販売機の保護装置に関するものである。
【０００２】
【従来の技術】
従来より例えば特開昭６４−７６１９３号公報に示される如き自動販売機は、通常店舗の店先や街道沿いなどの屋外に設置される場合が多い。そのため、洪水等の災害発生時には自動販売機内も浸水し、通常自動販売機の下部に取り付けられている電気回路基板も水没してしまう。
【０００３】
そこで、従来より係る自動販売機には漏電遮断器が設けられる。この漏電遮断器は、電源と上記電気回路基板間に介設され、電気回路基板が水没して本体との間に電流が流れることを検知し、自動販売機への通電を断って漏電事故を回避する動作を行うものである。
【０００４】
【発明が解決しようとする課題】
ここで、電気回路基板は水没しても乾燥させれば再度使用することが可能であるが、従来では水没後、漏電遮断器が動作するまでの間、電気回路基板には電源が供給され続けるため、基板に取り付けられた電装部品は電食してしまう。係る電食が発生すると、電気回路基板は乾燥させても使用不可能となる問題があった。
【０００５】
本発明は、係る従来の技術的課題を解決するために成されたものであり、自動販売機の電気回路基板が浸水した場合の電食を未然に回避することができる保護装置を簡単な構成で提供するものである。
【０００６】
【課題を解決するための手段】
本発明の保護装置は、本体底部に電気回路基板を備えた自動販売機に適用され、電気回路基板と電源間に介設された漏電遮断器を備え、この漏電遮断器の一方の入力と他方の出力からリード線を引き出し、引き出した各リード線の先端を電気回路基板より低い位置に配置したものである。
【０００７】
本発明によれば、本体底部に電気回路基板を備えた自動販売機を保護するに際して、電気回路基板と電源間に介設された漏電遮断器の一方の入力と他方の出力からリード線を引き出し、引き出した各リード線の先端を電気回路基板より低い位置に配置したので、自動販売機が浸水した場合、リード線の先端が電気回路基板よりも先に水没することになる。
【０００８】
そして、漏電遮断器は係るリード線の水没によって、当該リード線と本体間に流れる電流を検知して遮断動作を行うので、電気回路基板への電源供給を、それが水没する前に断つことができる。これにより、電気回路基板上の電装部品の電食を未然に回避することができるようになる。特に、漏電遮断器からリード線を引き出すことにより達成されるので、構成も簡単であり、コストも最小限に抑えられるものである。
【０００９】
【発明の実施の形態】
以下、図面に基づき本発明の実施形態を詳述する。図１は本発明を適用する実施例としての自動販売機１の正面図、図２は自動販売機１底部の透視側面図を示している。実施例の自動販売機１は、箱状の本体１５と、本体１５の前面を開閉するドア６とから構成されており、このドア６にはディスプレイ商品２と、このディスプレイ商品２の選択ボタン４と、施錠装置５と、種々の硬貨を投入するための硬貨投入口７と、硬貨を返却するための返却レバー８と、購入者に硬貨を返却する釣り銭返却口９と、紙幣を挿入するための紙幣挿入口１０と、投入された金額及び釣り銭切れ、販売中等の接客情報を表示する表示器１１と、販売商品の取りだしを行う取出口１２と、本体１５内下部に設置された加熱・冷却装置に外気を導入するためのグリル１３が設けられている。
【００１０】
一方、本体１５内には図示しない販売商品を収納する収納庫が構成されており、本体１５下端の台脚部１６上には取付板１７に対して電気回路基板１８が取り付けられている。この電気回路基板１８には前記加熱・冷却装置に給電するための端子板や、商品の温度制御・販売制御を行う回路素子に給電するための電源回路等の電装部品が取り付けられている。
【００１１】
また、グリル１３の左裏側に対応して、本体１５には漏電遮断器２３が取り付けられており、この漏電遮断器２３は商用交流電源（図示せず）と電気回路基板１８間に介設されている。
【００１２】
また、電気回路基板１８前方の取付板１７には、金具２４が溶接されており、この金具２４にはコネクタ２６が上方から挿入されている。このコネクタ２６内には所定面積の金属板端子（図示せず）が２枚離間して設けられており、コネクタ２６は電気回路基板１８よりも高さＨだけ低い位置において、各金属板端子を下方に露出させた状態で取り付けられている。
【００１３】
一方、漏電遮断器２３の一方の入力（電源側）と他方の出力（電気回路基板側）からはリード線３１、３２が引き出されており、各リード線３１、３２は前記コネクタ２６の各金属板端子にそれぞれ接続され、導通されている。
【００１４】
以上の構成で、洪水などによって自動販売機１が設置された場所の水位が上昇し、本体１５内が浸水して水位がコネクタ２６まで上昇すると、コネクタ２６の両金属板端子が水没する。尚、電気回路基板１８は前述の如く高さＨだけコネクタ２６より高い位置にあるため、電気回路基板１８は依然水没していない。
【００１５】
一方、コネクタ２６の金属板端子が水没すると、各リード線３１、３２と本体１５の台脚部１６間には１５ｍＡ程度の微小電流が流れる。漏電遮断器２３は係る電流を検知して遮断動作（トリップ）を行い、電気回路基板１８への電源供給を断つ。即ち、電気回路基板１８への電源供給は、それが水没する前に断たれるので、電気回路基板１８上の電装部品の電食は未然に回避される。
【００１６】
特に、この場合漏電遮断器２３からリード線３１、３２を引き出し、既存のコネクタ２６に接続して、このコネクタ２６を電気回路基板１８より低い位置に取り付けるだけで済むので、構成も簡単であり、コストも最小限に抑えられる。また、コネクタ２６の金属板端子を用いているので、充分な端子面積を確保でき、漏電遮断器２３の動作感度も良好となるものである。
【００１７】
【発明の効果】
以上詳述した如く本発明によれば、本体底部に電気回路基板を備えた自動販売機を保護するに際して、電気回路基板と電源間に介設された漏電遮断器の一方の入力と他方の出力からリード線を引き出し、引き出した各リード線の先端を電気回路基板より低い位置に配置したので、自動販売機が浸水した場合、リード線の先端が電気回路基板よりも先に水没することになる。
【００１９】
そして、漏電遮断器は係るリード線の水没によって、当該リード線と本体間に流れる電流を検知して遮断動作を行うので、電気回路基板への電源供給を、それが水没する前に断つことができる。これにより、電気回路基板上の電装部品の電食を未然に回避することができるようになる。特に、漏電遮断器からリード線を引き出すことにより達成されるので、構成も簡単であり、コストも最小限に抑えられるものである。
【図面の簡単な説明】
【図１】本発明を適用する実施例としての自動販売機の正面図である。
【図２】図１の自動販売機底部の透視側面図である。
【符号の説明】
１  自動販売機
１５  本体
１６  台脚部
１８  電気回路基板
２３  漏電遮断器
２６  コネクタ
３１、３２  リード線
【図１】
0003605817.tif 000002
【図２】
0003605817.tif 000003